(57)【特許請求の範囲】
【請求項１】
２つの対象室の内部にそれぞれ配設され、かつ膨張機構で断熱膨張させた冷媒を蒸発させて自身が配設された対象室の内部雰囲気を冷却する庫内熱交換器と、
前記庫内熱交換器で蒸発させた冷媒を吸引して圧縮する圧縮機と、
前記圧縮機で圧縮させた冷媒を導入して放熱させる庫外熱交換器と
を冷媒配管で接続して構成した冷媒回路を備えた冷媒回路装置において、
前記対象室の内部にそれぞれ設けられ、かつ自身が配設された対象室の内部雰囲気を送風する庫内送風手段と、
外気温度が予め決められた基準外気温度を上回る場合において、前記対象室のそれぞれの内部温度が予め設定された設定内部温度を上回るとき若しくは前記庫外熱交換器における冷媒の放熱温度が予め設定された設定放熱温度を上回るとき、あるいは前記対象室のそれぞれの内部雰囲気を急速に冷却する急速冷却運転が行われるときに、各庫内熱交換器への冷媒の供給を維持しながら、一方の庫内送風手段を駆動させて他方の庫内送風手段を駆動停止にさせることを、すべての対象室の内部温度が予め決められた閾値である解除温度を下回るまで所定時間毎に交互に繰り返す制御手段と
を備えたことを特徴とする冷媒回路装置。
【請求項２】
前記冷媒として二酸化炭素を用いたことを特徴とする請求項１に記載の冷媒回路装置。
【発明の詳細な説明】
【技術分野】
【０００１】
本発明は、冷媒回路装置に関し、より詳細には、例えば自動販売機等に適用される冷媒回路装置に関するものである。
【背景技術】
【０００２】
従来、例えば自動販売機等に適用される冷媒回路装置として、冷媒回路を備えたものが知られている。かかる冷媒回路としては、冷却専用経路と加熱経路とを備えたものが知られている。
【０００３】
冷却専用回路は、庫内熱交換器、圧縮機、庫外熱交換器及び膨張機構を冷媒配管にて順次接続して構成されたものである。
【０００４】
庫内熱交換器は、自動販売機の商品収容庫の内部に配設されている。この庫内熱交換器は、供給された冷媒が所定の流路を通過して蒸発することにより、商品収容庫の内部空気（内部雰囲気）を冷却するものである。
【０００５】
圧縮機は、自動販売機本体内であって商品収容庫の外部となる機械室に配設されており、庫内熱交換器で蒸発した冷媒を吸引し、吸引した冷媒を圧縮して高温高圧の状態にして吐出するものである。
【０００６】
庫外熱交換器は、圧縮機と同様に機械室に配設されており、冷媒配管を通じて圧縮機で圧縮された冷媒を導入し、導入した冷媒が放熱することにより、周囲空気を加熱、すなわち周囲空気に放熱するものである。
【０００７】
膨張機構は、圧縮機及び庫外熱交換器と同様に機械室に配設されており、庫外熱交換器で放熱した冷媒を減圧して断熱膨張させるものである。
【０００８】
加熱経路は、加熱用熱交換器及び放熱器を有して成る経路である。加熱用熱交換器は、商品収容庫の内部に配設されている。より詳細には、加熱対象となる商品を収容する商品収容庫の内部に配設されている。この加熱用熱交換器は、冷却専用経路を構成する圧縮機と庫外熱交換器とを接続する冷媒配管から分岐した分岐配管に入口側が接続されている。かかる加熱用熱交換器は、分岐配管を通じて圧縮機で圧縮された冷媒を導入し、導入した冷媒が放熱することにより、自身が配設された商品収容庫の内部空気を加熱するものである。
【０００９】
放熱器は、加熱用熱交換器の出口側に接続された冷媒配管に入口側が接続されているとともに、庫外熱交換器と膨張機構とを接続する冷媒配管に合流する態様で設けられた配管に出口側が接続されている。かかる放熱器は、加熱用熱交換器で放熱した冷媒を導入し、導入した冷媒を周囲空気と熱交換させて放熱させるものである。
【００１０】
このような冷媒回路において、圧縮機から庫外熱交換器に至る冷媒配管、並びに圧縮機から加熱用熱交換器に至る配管には、冷却電磁弁及び加熱電磁弁がそれぞれ設けられている。冷却電磁弁は、庫内熱交換器が設けられたすべての商品収容庫の内部雰囲気を冷却する冷却運転を行う場合に開成して、圧縮機で圧縮された冷媒が庫外熱交換器に流れることを許容する一方、その他の運転の場合には閉成して、圧縮機で圧縮された冷媒が庫外熱交換器に流れることを規制するものである。一方、加熱電磁弁は、加熱用熱交換器が設けられた商品収容庫のいずれかの内部雰囲気を加熱し、その他の商品収容庫の内部雰囲気を冷却するヒートポンプ運転を行う場合に開成して、圧縮機で圧縮された冷媒が加熱用熱交換器に流れることを許容する一方、その他の運転の場合には閉成して、圧縮機で圧縮された冷媒が加熱用熱交換器に流れることを規制するものである。
【００１１】
そして、冷却運転を行う場合には、冷却専用経路のみに冷媒が流れるようにし、ヒートポンプ運転を行う場合には、加熱経路と冷却専用経路の一部とに冷媒が流れるようにしている（例えば、特許文献１参照）。
【先行技術文献】
【特許文献】
【００１２】
【特許文献１】特開２００５−２２７８３３号公報
【発明の概要】
【発明が解決しようとする課題】
【００１３】
ところで、上述した特許文献１には明確に示されてはいないが、上記冷媒回路装置においては、例えば夏期のように外気温度が高い状態で全ての商品収容庫の内部空気を冷却する場合であって、かつ各商品収容庫の冷却負荷が大きい場合、つまり高冷却負荷時となる場合には、圧縮機に吸引される冷媒、すなわち庫内熱交換器から圧縮機に戻る冷媒が高温となってしまい、圧縮機が過負荷により異常停止してしまう虞れがあった。
【００１４】
そこで、圧縮機が過負荷状態になることを防止するべく、全ての商品収容庫の内部空気を同時に冷却しないで、一部の商品収容庫の庫内熱交換器だけに冷媒が循環するようにすることが考えられる。
【００１５】
しかしながら、冷媒回路には、全ての商品収容庫の内部空気を効率的に冷却できるように冷媒封入量が決められており、高冷却負荷時に１つの庫内熱交換器のみに冷媒が循環するようにすると、冷媒量が過大なものとなり、冷媒回路における高圧上昇による効率低下を招来し、結果的に圧縮機が異常停止してしまう虞れがあった。
【００１６】
本発明は、上記実情に鑑みて、高冷却負荷時においても圧縮機が過負荷により異常停止してしまうことを防止することができる冷媒回路装置を提供することを目的とする。
【課題を解決するための手段】
【００１７】
上記目的を達成するために、本発明に係る冷媒回路装置は、２つの対象室の内部にそれぞれ配設され、かつ膨張機構で断熱膨張させた冷媒を蒸発させて自身が配設された対象室の内部雰囲気を冷却する庫内熱交換器と、前記庫内熱交換器で蒸発させた冷媒を吸引して圧縮する圧縮機と、前記圧縮機で圧縮させた冷媒を導入して放熱させる庫外熱交換器とを冷媒配管で接続して構成した冷媒回路を備えた冷媒回路装置において、前記対象室の内部にそれぞれ設けられ、かつ自身が配設された対象室の内部雰囲気を送風する庫内送風手段と、外気温度が予め決められた基準外気温度を上回る場合において、前記対象室のそれぞれの内部温度が予め設定された設定内部温度を上回るとき若しくは前記庫外熱交換器における冷媒の放熱温度が予め設定された設定放熱温度を上回るとき、あるいは前記対象室のそれぞれの内部雰囲気を急速に冷却する急速冷却運転が行われるときに、各庫内熱交換器への冷媒の供給を維持しながら、一方の庫内送風手段を駆動させて他方の庫内送風手段を駆動停止にさせることを、すべての対象室の内部温度が予め決められた閾値である解除温度を下回るまで所定時間毎に交互に繰り返す制御手段とを備えたことを特徴とする。
【００１８】
また、本発明は、上記冷媒回路装置において、前記冷媒として二酸化炭素を用いたことを特徴とする。
【発明の効果】
【００１９】
本発明の冷媒回路装置によれば、外気温度が予め決められた基準外気温度を上回る場合において、対象室のそれぞれの内部温度が予め設定された設定内部温度を上回るとき若しくは庫外熱交換器における冷媒の放熱温度が予め設定された設定放熱温度を上回るとき、あるいは対象室のそれぞれの内部雰囲気を急速に冷却する急速冷却運転が行われるときに、制御手段が庫内熱交換器への冷媒の供給を維持しながら庫内送風手段を所定時間毎に交互に駆動させることを繰り返すので、庫内送風手段のそれぞれの送風量の総量を低減させることができ、圧縮機に吸引される冷媒、すなわち庫内熱交換器から圧縮機に戻る冷媒が高温となってしまうことを抑制することができる。従って、高冷却負荷時においても圧縮機が過負荷により異常停止してしまうことを防止することができるという効果を奏する。
【図面の簡単な説明】
【００２０】
【図１】図１は、本発明の実施の形態である冷媒回路装置が適用された自動販売機の内部構造を正面から見た場合を示す断面図である。
【図２】図２は、図１に示した自動販売機の内部構造を示すものであり、右側の商品収容庫の断面側面図である。
【図３】図３は、本発明の実施の形態である冷媒回路装置を概念的に示す概念図である。
【図４】図４は、本発明の実施の形態である冷媒回路装置の特徴的な制御系を示すブロック図である。
【図５】図５は、本発明の実施の形態である冷媒回路装置を概念的に示す概念図である。
【図６】図６は、図４に示したファン制御部が実施するファン駆動制御処理の処理内容を示すフローチャートである。
【図７】図７は、図６に示したファン駆動制御処理における過冷却負荷判断処理の処理内容を示すフローチャートである。
【図８】図８は、図６に示したファン駆動制御処理における庫内送風ファン交互駆動処理の処理内容を示すフローチャートである。
【図９】図９は、図８に示した庫内送風ファン交互駆動処理における解除判定処理の処理内容を示すフローチャートである。
【発明を実施するための形態】
【００２１】
以下に添付図面を適宜参照しながら、本発明に係る冷媒回路装置の好適な実施の形態について詳細に説明する。
【００２２】
図１は、本発明の実施の形態である冷媒回路装置が適用された自動販売機の内部構造を正面から見た場合を示す断面図である。ここで例示する自動販売機は、本体キャビネット１を備えている。
【００２３】
本体キャビネット１は、前面が開口した直方状の形態を成すものである。この本体キャビネット１には、その内部に例えば断熱仕切板２によって仕切られた２つの独立した商品収容庫３が左右に並んだ態様で設けてある。この商品収容庫３は、缶入り飲料やペットボトル入り飲料等の商品を所望の温度に維持した状態で収容するためのもので、断熱構造を有している。
【００２４】
図２は、図１に示した自動販売機の内部構造を示すものであり、右側の商品収容庫３の断面側面図である。尚、ここでは右側の商品収容庫３（以下、適宜右庫３ａとも称する）の内部構造について示すが、左側の商品収容庫３（以下、適宜左庫３ｂとも称する）の内部構造も右庫３ａと略同じような構成である。尚、本明細書における右側とは、自動販売機を正面から見た場合の右方を示し、左側とは、自動販売機を正面から見た場合の左方を示す。
【００２５】
かかる図２に示すように、本体キャビネット１の前面には、外扉４及び内扉５が設けてある。外扉４は、本体キャビネット１の前面開口を開閉するためのものであり、内扉５は、商品収容庫３の前面を開閉するためのものである。この内扉５は、上下に分割してあり、上側の扉５ａは商品を補充する際に開閉するものである。
【００２６】
上記商品収容庫３には、商品収納ラック６、搬出機構７及び搬出シュータ８が設けてある。商品収納ラック６は、商品を上下方向に沿って並ぶ態様で収納するためのものである。搬出機構７は、商品収納ラック６の下部に設けてあり、この商品収納ラック６に収納された商品群の最下位にある商品を１つずつ搬出するためのものである。搬出シュータ８は、搬出機構７から搬出された商品を外扉４に設けられた商品取出口４ａに導くためのものである。
【００２７】
図３は、本発明の実施の形態である冷媒回路装置を概念的に示す概念図である。ここで例示する冷媒回路装置は、内部に二酸化炭素を冷媒として封入した冷媒回路１０を有しており、この冷媒回路１０は、圧縮機２１、庫外熱交換器２２、第１キャピラリーチューブ２３及び庫内熱交換器２４を冷媒配管２５にて順次接続して構成してある。
【００２８】
圧縮機２１は、図２にも示すように機械室９に配設してある。機械室９は、本体キャビネット１の内部であって商品収容庫３と区画され、かつ商品収容庫３の下方側の室である。この圧縮機２１は、吸引口を通じて冷媒を吸引し、吸引した冷媒を圧縮して高温高圧の状態（高圧冷媒）にして吐出口より吐出するものである。
【００２９】
本実施の形態における圧縮機２１は、２回に分けて圧縮動作を行う二段式圧縮機である。より詳細に説明すると、圧縮機２１は、１回目の圧縮動作を行う第１圧縮要素２１１と、２回目の圧縮動作を行う第２圧縮要素２１２とを有し、これらの間に図示せぬ中間熱交換器が設けてある。中間熱交換器は、第１圧縮要素２１１による１回目の圧縮動作により圧縮された冷媒を放熱させて第２圧縮要素２１２に送出するものである。
【００３０】
庫外熱交換器２２は、図２にも示すように圧縮機２１と同様に機械室９に配設してある。この庫外熱交換器２２は、圧縮機２１で圧縮された冷媒が自身の流路を通過する場合に、該冷媒を周囲空気と熱交換させて放熱させるものである。
【００３１】
第１キャピラリーチューブ２３は、圧縮機２１及び庫外熱交換器２２と同様に機械室９に配設してある。この第１キャピラリーチューブ２３は、通過する冷媒を減圧して断熱膨張させる膨張機構を構成している。
【００３２】
庫内熱交換器２４は、複数（図示の例では２つ）設けてあり、それぞれが各商品収容庫３の内部低域であって背面ダクトＤの前方側に配設してある。これら庫内熱交換器２４と第１キャピラリーチューブ２３とを接続する冷媒配管２５は、その途中に配設された分配器２６により２つに分岐され、右庫３ａに配設された庫内熱交換器２４（以下、右庫内熱交換器２４ａとも称する）及び左庫３ｂに配設された庫内熱交換器２４（以下、左庫内熱交換器２４ｂとも称する）の入口側にそれぞれ接続してある。これら庫内熱交換器２４は、通過する冷媒を蒸発させて商品収容庫３の内部空気（内部雰囲気）を冷却するものである。
【００３３】
また、かかる冷媒配管２５においては、分配器２６から各庫内熱交換器２４に至る途中に電磁弁２７１，２７２及び第２キャピラリーチューブ２８１，２８２がそれぞれ設けてある。電磁弁２７１，２７２は、開閉可能な弁体であり、図示せぬ制御ユニットから開指令が与えられた場合には開成して冷媒の通過を許容する一方、閉指令が与えられた場合には閉成して冷媒の通過を規制するものである。第２キャピラリーチューブ２８１，２８２は、各商品収容庫３の内部に配設してあり、第１キャピラリーチューブ２３と同様に、通過する冷媒を減圧して断熱膨張させる膨張機構を構成している。
【００３４】
各庫内熱交換器２４の出口側に接続された冷媒配管２５は、途中の第１合流点Ｐ１で合流して圧縮機２１の吸引口に連通する態様で該圧縮機２１に接続してある。
【００３５】
尚、図３中の符号Ｈ、２９、Ｆ１及びＦ２は、それぞれヒータ、内部熱交換器、庫内送風ファン及び庫外送風ファンである。ヒータＨは、左庫３ｂに配設してあり、駆動して通電状態となることにより左庫３ｂの内部空気を加熱する加熱手段である。内部熱交換器２９は、庫外熱交換器２２を通過した高圧冷媒と、庫内熱交換器２４を通過した冷媒（低圧冷媒）とを熱交換させるものである。庫内送風ファンＦ１は、各商品収容庫３の内部において庫内熱交換器２４に近接配置してあり、駆動することにより商品収容庫３の内部空気を送風する庫内送風手段である。庫外送風ファンＦ２は、庫外熱交換器２２に近接配置してあり、駆動することにより庫外送風ファンＦ２の周囲に外気を通過させるよう送風する送風手段である。
【００３６】
図４は、本発明の実施の形態である冷媒回路装置の特徴的な制御系を示すブロック図である。この図４に示すように冷媒回路装置は、外気温度センサＳ１、庫内温度センサＳ２、放熱温度センサＳ３、ファン制御部３０を備えている。
【００３７】
外気温度センサＳ１は、冷媒回路装置が適用される自動販売機の外気温度、より詳細には庫外送風ファンＦ２が駆動することにより庫外熱交換器２２に向けて送風される外気の温度（外気温度）Ｔを検出するものである。この外気温度センサＳ１は、検出した外気温度Ｔを検出信号としてファン制御部３０に与えるものである。庫内温度センサＳ２は、各商品収容庫３の内部に配設してあり、自身が配設された商品収容庫３の庫内温度（内部温度）ｔ１を検出するものである。これら庫内温度センサＳ２は、検出した庫内温度ｔ１を検出信号としてファン制御部３０に与えるものである。放熱温度センサＳ３は、庫外熱交換器２２における冷媒の放熱温度ｔ２を検出するものである。この放熱温度センサＳ３は、検出した放熱温度ｔ２を検出信号としてファン制御部３０に与えるものである。
【００３８】
ファン制御部３０は、メモリ３８に記憶されたプログラムやデータに従って庫内送風ファンＦ１の駆動を制御するもので、入力処理部３２、判断処理部３４及びファン駆動処理部３６を備えて構成してある。尚、ファン制御部３０は、電磁弁２７１，２７２の駆動を制御する制御ユニットと一体的に構成されるものであっても良いし、かかる制御ユニットとは独立して構成されるものであっても良い。本実施の形態においては、ファン制御部３０は、制御ユニットとは独立して構成されたものであり、更に自動販売機の販売動作等を制御する自販機制御部４０とも独立して構成されたものとして説明する。
【００３９】
上記メモリ３８は、上記プログラム等の他に、基準外気温度情報、設定内部温度情報、設定放熱温度情報、解除温度情報等を記憶してある。
【００４０】
基準外気温度情報は、高冷却負荷状態を判断する上での前提条件となる基準外気温度Ｔｓ（例えば３８℃等）を含むものである。
【００４１】
設定内部温度情報は、各商品収容庫３における庫内温度に基づいて高冷却負荷状態にあるか否かを判断するための閾値となる設定内部温度ｔｉ（例えば２０℃等）を含むものである。
【００４２】
設定放熱温度情報は、庫外熱交換器２２における冷媒の放熱温度に基づいて高冷却負荷状態であるか否かを判断するための閾値となる設定放熱温度ｔｃを含むものである。
【００４３】
解除温度情報は、各商品収容庫３における庫内温度に基づいて高冷却負荷状態を脱したことを判断するための閾値となる解除温度ｔｉｃを含むものである。この解除温度ｔｉｃは、設定内部温度ｔｉよりも低い温度である。
【００４４】
入力処理部３２は、各センサＳ１〜Ｓ３から与えられる検出信号を予め設定された時間の経過毎に入力するとともに、自販機制御部４０からの指令を入力するためのものである。判断処理部３４は、入力処理部３２を通じて入力された検出信号や指令と、メモリ３８から読み出した各種温度情報とに基づいて高負荷冷却状態にあるか否かを判断するものである。ファン駆動処理部３６は、各商品収容庫３の庫内送風ファンＦ１を個別に駆動あるいは駆動停止させるものである。
【００４５】
以上のような構成を有する冷媒回路装置は、次のようにして商品収容庫３に収容された商品を冷却する。ここでは全ての商品収容庫３の内部空気を冷却する冷却運転を行う場合について説明する。
【００４６】
この場合、制御ユニットは、電磁弁２７１，２７２を開成させる。これにより圧縮機２１で圧縮された冷媒は、図５に示すように、庫外熱交換器２２に至る。庫外熱交換器２２に至った冷媒は、該庫外熱交換器２２を通過中に周囲空気（外気）と熱交換を行って放熱する。庫外熱交換器２２で放熱した冷媒は、内部熱交換器２９を通過後に第１キャピラリーチューブ２３で断熱膨張する。
【００４７】
第１キャピラリーチューブ２３で断熱膨張して気化した冷媒は、分配器２６で２つに分岐され、第２キャピラリーチューブ２８１，２８２で更に断熱膨張して右庫内熱交換器２４ａ及び左庫内熱交換器２４ｂに至り、各庫内熱交換器２４で蒸発して商品収容庫３の内部空気から熱を奪い、該内部空気を冷却する。冷却された内部空気は、庫内送風ファンＦ１の駆動により内部を循環し、これにより各商品収容庫３に収容された商品は、循環する内部空気に冷却される。
【００４８】
各庫内熱交換器２４で蒸発した冷媒は、第１合流点Ｐ１で合流した後、内部熱交換器２９を通じて圧縮機２１に吸引され、圧縮機２１に圧縮されて上述した循環を繰り返す。
【００４９】
上述した冷却運転を行う場合においては、上記ファン制御部３０は、次のようなファン駆動制御処理を行う。
【００５０】
図６は、上記ファン制御部３０が実施するファン駆動制御処理の処理内容を示すフローチャートである。
【００５１】
ファン制御部３０は、入力処理部３２を通じて外気温度センサＳ１から外気温度Ｔを入力した場合（ステップＳ１００：Ｙｅｓ）、判断処理部３４を通じてメモリ３８から基準外気温度情報を読み出して、外気温度Ｔと、基準外気温度情報に含まれる基準外気温度Ｔｓとを比較する（ステップＳ２００）。外気温度Ｔが基準外気温度Ｔｓ以下となる場合（ステップＳ２００：Ｎｏ）、ファン制御部３０は、後述する処理を実施することなく手順をリターンさせて今回のファン駆動制御処理を終了する。
【００５２】
外気温度Ｔが基準外気温度Ｔｓを上回っている場合（ステップＳ２００：Ｙｅｓ）、ファン制御部３０は、過冷却負荷判断処理を実施する（ステップＳ３００）。
【００５３】
図７は、図６に示したファン駆動制御処理における過冷却負荷判断処理の処理内容を示すフローチャートである。
【００５４】
この過冷却負荷判断処理においてファン制御部３０は、入力処理部３２を通じて各庫内温度センサＳ２から庫内温度ｔ１を入力した場合（ステップＳ３０１：Ｙｅｓ）、判断処理部３４を通じてメモリ３８から設定内部温度情報を読み出して、全ての庫内温度ｔ１と設定内部温度ｔｉとを比較する（ステップＳ３０２）。
【００５５】
全ての庫内温度ｔ１が設定内部温度ｔｉを上回っている場合（ステップＳ３０２：Ｙｅｓ）、ファン制御部３０は判断処理部３４を通じて過冷却負荷状態にあると判断して（ステップＳ３０３）、その後に手順をリターンさせて今回の処理を終了する。
【００５６】
全ての庫内温度ｔ１が設定内部温度ｔｉを上回っていない場合（ステップＳ３０２：Ｎｏ）、ファン制御部３０は過冷却負荷状態との判断をしないで手順をリターンさせて今回の処理を終了する。
【００５７】
一方、ファン制御部３０は、庫内温度ｔ１を入力しないで入力処理部３２を通じて放熱温度センサＳ３から放熱温度ｔ２を入力した場合（ステップＳ３０１：Ｎｏ，ステップＳ３０４：Ｙｅｓ）、判断処理部３４を通じてメモリ３８から設定放熱温度情報を読み出して、放熱温度ｔ２と設定放熱温度ｔｃとを比較する（ステップＳ３０５）。
【００５８】
放熱温度ｔ２が設定放熱温度ｔｃを上回っている場合（ステップＳ３０５：Ｙｅｓ）、ファン制御部３０は判断処理部３４を通じて過冷却負荷状態にあると判断して（ステップＳ３０６）、その後に手順をリターンさせて今回の処理を終了する。
【００５９】
放熱温度ｔ２が設定放熱温度ｔｃを上回っていない場合（ステップＳ３０５：Ｎｏ）、ファン制御部３０は過冷却負荷状態との判断をしないで手順をリターンさせて今回の処理を終了する。
【００６０】
更に、ファン制御部３０は、庫内温度ｔ１及び放熱温度ｔ２を入力しないで入力処理部３２を通じて自販機制御部４０より急速運転指令を入力した場合（ステップＳ３０１：Ｎｏ，ステップＳ３０４：Ｎｏ，ステップＳ３０７：Ｙｅｓ）、判断処理部３４を通じて過冷却負荷状態にあると判断して（ステップＳ３０８）、その後に手順をリターンさせて今回の処理を終了する。ここで急速運転は、いわゆるプルダウン運転と称されるもので、外扉４及び内扉５を開移動させて各商品収容庫３の商品収納ラック６に商品を補充した後に、外扉４及び内扉５を再び閉移動させて各商品収容庫３の内部空気を急速に冷却するために行われる運転である。
【００６１】
庫内温度ｔ１、放熱温度ｔ２及び急速冷却運転指令のいずれも入力しない場合（ステップＳ３０１：Ｎｏ，ステップＳ３０４：Ｎｏ，ステップＳ３０７：Ｎｏ）、ファン制御部３０は、過冷却負荷状態との判断をしないで手順をリターンさせて今回の処理を終了する。
【００６２】
このような過冷却負荷判断処理を実施した結果、過冷却負荷状態であると判断された場合（ステップＳ４００：Ｙｅｓ）、ファン制御部３０は、庫内送風ファン交互駆動処理を実施する（ステップＳ５００）。
【００６３】
図８は、図６に示したファン駆動制御処理における庫内送風ファン交互駆動処理の処理内容を示すフローチャートである。
【００６４】
この庫内送風ファン交互駆動処理においてファン制御部３０は、予め設定された設定時間（例えば３０秒間）が経過するまでファン駆動処理部３６を通じて右庫３ａの庫内送風ファンＦ１（以下、右庫内送風ファンＦ１とも称する）を駆動させ、かつ左庫３ｂの庫内送風ファンＦ１（以下、左庫内送風ファンＦ１とも称する）を駆動停止にさせる（ステップＳ５０１，ステップＳ５０２：Ｎｏ）。
【００６５】
上記設定時間が経過した場合（ステップＳ５０２：Ｙｅｓ）、ファン制御部３０は、設定時間が経過するまでファン駆動処理部３６を通じて左庫内送風ファンＦ１を駆動させ、かつ右庫内送風ファンＦ１を駆動停止にさせる（ステップＳ５０３，ステップＳ５０４：Ｎｏ）。
【００６６】
このようにしていずれか一方の庫内送風ファンＦ１を交互に駆動させた後、ファン制御部３０は、解除判定処理を実施する（ステップＳ５０５）。
【００６７】
図９は、図８に示した庫内送風ファン交互駆動処理における解除判定処理の処理内容を示すフローチャートである。
【００６８】
この解除判定処理においてファン制御部３０は、所定時間経過後に入力処理部３２を通じて各庫内温度センサＳ２から庫内温度ｔ１を入力した場合（ステップＳ５０５ａ：Ｙｅｓ）、メモリ３８から読み出した解除温度情報に含まれる解除温度ｔｉｃと、各庫内温度ｔ１とを比較する（ステップＳ５０５ｂ）。
【００６９】
全ての商品収容庫３の庫内温度ｔ１が解除温度ｔｉｃを下回っている場合（ステップＳ５０５ｂ：Ｙｅｓ）、ファン制御部３０は、判断処理部３４を通じて高冷却負荷状態を脱したとして解除判定をして（ステップＳ５０５ｃ）、その後に手順をリターンさせて今回の処理を終了する。
【００７０】
一方、全ての商品収容庫３の庫内温度ｔ１が解除温度ｔｉｃを下回っていない場合（ステップＳ５０５ｂ：Ｎｏ）、ファン制御部３０は、解除判定をしないでその後に手順をリターンさせて今回の処理を終了する。
【００７１】
このような解除判定処理を実施することで、ファン制御部３０は、解除判定をするまで上述したステップＳ５０１〜ステップＳ５０４の処理を繰り返す（ステップＳ５０６：Ｎｏ）。そして、ファン制御部３０は、解除判定処理において解除判定をした場合（ステップＳ５０６：Ｙｅｓ）、ファン駆動処理部３６を通じて全ての庫内送風ファンＦ１を駆動停止にして（ステップＳ５０７）、その後に手順をリターンさせて今回の庫内送風ファン交互駆動処理を終了する。
【００７２】
かかる庫内送風ファン交互駆動処理を実施したファン制御部３０は、その後に手順をリターンさせて今回のファン駆動制御処理を終了する。
【００７３】
このファン駆動制御処理を実施することで、外気温度Ｔが基準外気温度Ｔｓを上回る場合でも、各商品収容庫３の庫内温度を十分に低減させることができ、その後に庫内温度の検出結果に応じて庫内送風ファンＦ１を駆動させる通常冷却運転に移行させることができる。
【００７４】
以上説明したように、本実施の形態である冷媒回路装置によれば、外気温度Ｔが基準外気温度Ｔｓを上回る場合において、各庫内温度ｔ１が設定内部温度ｔｉを上回るとき若しくは放熱温度ｔ２が設定放熱温度ｔｃを上回るとき、あるいは急速冷却運転指令が与えられたときに高冷却負荷状態にあると判断している。そして、かかる高冷却負荷状態であると判断した場合に、庫内熱交換器２４への冷媒の供給を維持しながら、庫内送風ファンＦ１を設定時間毎に交互に駆動させることを繰り返すことで、庫内送風ファンＦ１のそれぞれの送風量の総量を低減させるので、圧縮機２１に吸引される冷媒、すなわち庫内熱交換器２４から圧縮機２１に戻る冷媒が高温となってしまうことを抑制することができる。従って、高冷却負荷時においても圧縮機２１が過負荷により異常停止してしまうことを防止することができる。
【００７５】
このように高冷却負荷時においても圧縮機２１が異常停止してしまうことを防止することができるので、結果的に各商品収容庫３の内部空気を良好に冷却することができる。
【００７６】
以上、本発明の好適な実施の形態について説明したが、本発明はこれに限定されるものではなく、種々の変更を行うことができる。
【００７７】
上述した実施の形態では、庫内送風ファン交互駆動処理において、庫内送風ファンＦ１を設定時間毎に交互に駆動させることを繰り返すことで、庫内送風ファンＦ１のそれぞれの送風量の総量を低減させるようにしていたが、本発明においては、各庫内温度と基準内部温度とを比較して、予め設定された閾値である基準内部温度からの乖離が大きい商品収容庫３の庫内送風手段を優先させて駆動させるようにしても良い。
【符号の説明】
【００７８】
１０  冷媒回路
２１  圧縮機
２２  庫外熱交換器
２３  第１キャピラリーチューブ
２４  庫内熱交換器
２５  冷媒配管
２６  分配器
３０  ファン制御部
３２  入力処理部
３４  判断処理部
３６  ファン駆動処理部
３８  メモリ
４０  自販機制御部
Ｆ１  庫内送風ファン
Ｆ２  庫外送風ファン
Ｓ１  外気温度センサ
Ｓ２  庫内温度センサ
Ｓ３  放熱温度センサ
【図１】
0005915364.tif 000002
【図２】
0005915364.tif 000003
【図３】
0005915364.tif 000004
【図４】
0005915364.tif 000005
【図５】
0005915364.tif 000006
【図６】
0005915364.tif 000007
【図７】
0005915364.tif 000008
【図８】
0005915364.tif 000009
【図９】
0005915364.tif 000010